(57)【要約】  情報表示システムは、リモートＵＩサーバ部１０３とリモートフレームバッファサーバ部ｃ１０４等を有する情報提供装置１０１と、リモートＵＩプレーヤ部ａ１１３とリモートフレームバッファプレーヤ部ａ１１４と表示部ａ１１６とリモートフレームバッファサーバ部ａ１１７等を有する情報表示装置Ａ１１１と、リモートフレームバッファプレーヤ部ｂ１２４と表示部ｂ１２６等を有する情報表示装置Ｂ１２１と、情報表示制御装置１３１を備える。
2012111305.tif 000002
【特許請求の範囲】
【請求項１】
車両に搭載される情報表示システムであって、
前記情報表示システムは、
自装置の機能に対応するユーザインターフェースを実現するための表示部品を記述したスクリプトまたは前記ユーザインターフェースの表示画像を送信するサーバ部を有する情報提供装置に接続され、
前記情報提供装置が送信した前記スクリプトまたは前記表示画像を処理して構成した表示画像を表示するプレーヤ部と、前記表示画像を送信するサーバ部とを有する第１の情報表示装置と、
前記情報提供装置または前記第１の情報表示装置が送信した表示画像を表示するプレーヤ部を有する第２の情報表示装置と、
前記情報提供装置と前記第１の情報表示装置と前記第２の情報表示装置を制御する情報表示制御装置とを備え、
前記情報表示制御装置は、前記情報提供装置と前記第１の情報表示装置と前記第２の情報表示装置のそれぞれが有するサーバ部およびプレーヤ部の利用状況に応じて、前記各装置間のサーバ部およびプレーヤ部の接続を変更する制御部を有する、情報表示システム。
【請求項２】
請求項１に記載の情報表示システムであって、
前記情報表示制御装置は、
前記サーバ部およびプレーヤ部の利用状況の情報を保持する保持部を有し、
前記制御部は、前記利用状況の情報を参照し、前記情報提供装置、前記第１の情報表示装置、および前記第２の情報表示装置のそれぞれにおいて利用可能なプロトコルのサーバ部およびプレーヤ部の利用状況に応じて、前記情報提供装置のサーバ部と前記第１の情報表示装置または前記第２の情報表示装置のプレーヤ部とを接続する指示を行う、情報表示システム。
【請求項３】
車両に搭載される情報表示システムにおいて、情報提供装置と情報表示装置との間の接続を制御する情報表示制御装置であって、
前記情報提供装置または前記情報表示装置が有する、装置の機能に対応するユーザインターフェースを実現するための表示部品を記述したスクリプトまたは前記ユーザインターフェースの表示画像を送信するサーバ部と、前記情報表示装置が有する、前記スクリプトまたは前記表示画像を処理して構成した表示画像を表示するプレーヤ部の、それぞれの利用状況の情報を保持する保持部と、
前記利用状況の情報を参照し、前記情報提供装置および前記情報表示装置のそれぞれにおいて利用可能なプロトコルのサーバ部およびプレーヤ部の利用状況に応じて、前記情報提供装置のサーバ部と前記情報表示装置のプレーヤ部との接続を指示する制御部と、
を備える情報表示制御装置。
【請求項４】
請求項３に記載の情報表示制御装置であって、
前記保持部は、前記情報提供装置が有する前記サーバ部と、前記情報表示装置のうち、第１の情報表示装置が有する前記プレーヤ部および前記サーバ部と、第２の情報表示装置が有する前記プレーヤ部とについて、それぞれの利用状況の情報を保持し、
前記制御部は、前記情報提供装置のサーバ部と前記第２の情報表示装置のプレーヤ部とにおいて直接接続して利用可能なプロトコルのサーバ部およびプレーヤ部がない場合に、前記第１の情報表示装置のプレーヤ部およびサーバ部を介して接続する指示を行う、情報表示制御装置。
【請求項５】
車両に搭載される情報表示システムにおいて、情報提供装置から提供される情報を表示する情報表示装置であって、
前記情報提供装置が送信した情報の表示画像を表示するプレーヤ部として、前記情報提供装置の機能に対応するユーザインターフェースを実現するための表示部品を記述したスクリプトを処理して構成した表示画像を表示するユーザインターフェースプレーヤ部と、前記ユーザインターフェースの表示画像を表示するフレームバッファプレーヤ部との、少なくとも一方を有するプレーヤ部と、
前記表示画像を送信するサーバ部として、前記スクリプトを処理して構成した表示画像を送信するユーザインターフェースサーバ部と、前記ユーザインターフェースの表示画像を送信するフレームバッファサーバ部との、少なくとも一方を有するサーバ部と、
情報表示制御装置からの指示に応じて、前記プレーヤ部および前記サーバ部と前記情報提供装置および他の情報表示装置との接続を変更して通信する通信部と、
を備える情報表示装置。
【発明の詳細な説明】
【技術分野】
【０００１】
本発明は、少なくとも１つ以上のナビゲーション、ＡＶコンテンツ再生などの機能を有し情報を提供する情報提供装置と、この提供される情報の表示を行う少なくとも１つ以上の情報表示装置とを含む、情報表示システムに関するものである。
【背景技術】
【０００２】
従来、コンピュータシステムにおいて、ユーザに利用されるリモートビューアプロトコルに拘わらず、コンピュータユーザをリモートコンピュータリソースに動的に割り当てることによってネットワークを管理するものが知られている（例えば特許文献１参照）。【０００３】
また、現在、自動車等において、車室内に設置して利用される液晶等の表示手段とタッチパネル等の入力手段を備えたカーナビゲーション装置やカーＡＶ装置等が普及している。これらの装置の一部では、設置の容易さを目的として、表示手段を備える情報表示装置と情報提供手段を備える情報提供装置とが別体の形態をとり、それぞれ複数個設置されるものがある。
【先行技術文献】
【特許文献】
【０００４】
【特許文献１】日本国特表２０１０−５２１７６１号公報
【発明の概要】
【発明が解決しようとする課題】
【０００５】
情報表示装置と情報提供装置とが別体の形態をとるものにおいては、ユーザインターフェースを実現する方法として複数の方式がある。その第１の方式は、情報提供装置から送られたスクリプトを情報表示装置で実行してユーザインターフェースを実現する（リモートＵＩ）方式である。第２の方式は、情報提供装置から送られた表示画像を情報表示装置で表示してユーザインターフェースを実現する（リモートフレームバッファ）方式である。従来では、それぞれの方式を実行するための複数のプロトコルから、互いの装置に適したプロトコルを選択し、ユーザインターフェースを実現していた。【０００６】
しかしながら、上記従来の方法では、情報提供装置が保有するものと一致するプロトコルを情報表示装置が有しない場合、あるいは一致するプロトコルが既に使用されている場合、情報提供装置と情報表示装置とを接続することができず、ユーザインターフェースを実現できないという問題があった。【０００７】
本発明は、従来の問題を解決するためになされたもので、情報提供装置が保有するものと一致するプロトコルを情報表示装置が有しない場合、あるいは一致するプロトコルが既に使用されている場合であっても、情報提供装置と情報表示装置との接続を実現可能にする情報表示システムを提供することを目的とする。
【課題を解決するための手段】
【０００８】
上記目的を達成するために本発明は、車両に搭載される情報表示システムであって、前記情報表示システムは、自装置の機能に対応するユーザインターフェースを実現するための表示部品を記述したスクリプトまたは前記ユーザインターフェースの表示画像を送信するサーバ部を有する情報提供装置に接続され、前記情報提供装置が送信した前記スクリプトまたは前記表示画像を処理して構成した表示画像を表示するプレーヤ部と、前記表示画像を送信するサーバ部とを有する第１の情報表示装置と、前記情報提供装置または前記第１の情報表示装置が送信した表示画像を表示するプレーヤ部を有する第２の情報表示装置と、前記情報提供装置と前記第１の情報表示装置と前記第２の情報表示装置を制御する情報表示制御装置とを備え、前記情報表示制御装置は、前記情報提供装置と前記第１の情報表示装置と前記第２の情報表示装置のそれぞれが有するサーバ部およびプレーヤ部の利用状況に応じて、前記各装置間のサーバ部およびプレーヤ部の接続を変更する制御部を有するものである。
【発明の効果】
【０００９】
本発明によれば、情報提供装置が保有するものと一致するプロトコルを情報表示装置が有しない場合、あるいは一致するプロトコルが既に使用されている場合であっても、情報提供装置と情報表示装置とを接続できる効果を奏する。
【図面の簡単な説明】
【００１０】
【図１】本発明の実施の形態における情報表示システムの構成を示すブロック図
【図２】本発明の実施の形態における情報表示システムのデータベースに保持される情報の内容を示す図
【図３】本発明の実施の形態における情報表示システムの動作説明のためのフローチャート
【発明を実施するための形態】
【００１１】
（実施の形態）
以下、本発明の実施の形態における情報表示システムについて図面を参照しながら説明する。
【００１２】
図１は本発明の実施の形態における情報表示システムの構成を示すブロック図である。本発明の実施形態の情報表示システム１００は、情報端末装置等からなる情報提供装置１０１と、第１の情報表示装置としての情報表示装置Ａ１１１と、第２の情報表示装置としての情報表示装置Ｂ１２１と、情報表示制御装置１３１とを有して構成されるものである。本実施の形態では、例えば、情報表示システムを自動車の車室内において構成する場合の例を示す。
【００１３】
情報提供装置１０１は、少なくとも１つ以上のナビゲーション、ＡＶコンテンツ再生などの機能を有し、情報を提供するものである。情報提供装置１０１は、例えば、表示画面を持たないナビゲーション機器、ＣＤプレーヤ機器、ＤＶＤプレーヤ機器、ＢＤプレーヤ機器、ＴＶチューナ、携帯電話、携帯端末などである。
【００１４】
情報表示装置Ａ１１１、情報表示装置Ｂ１２１は、情報提供装置１０１から提供される情報の表示を行うものである。情報表示装置Ａ１１１、情報表示装置Ｂ１２１は、例えば、表示画面を持つナビゲーション装置（あるいはシステム）、リアディスプレイ装置（あるいはシステム）、携帯電話、スマートフォン、タブレット端末、ポータブルオーディオ機器などである。
【００１５】
情報提供装置１０１と、情報表示装置Ａ１１１と情報表示装置Ｂ１２１が別体の形態をとることにより、車内での設置場所の自由度を得ることや、またいずれかを車外へ持ち出すことを容易にするといった利点がある。
【００１６】
情報提供装置１０１は、自装置の機能を実行しそのユーザインターフェースを複数のプロトコルで通信するものである。情報提供装置１０１は、自装置の機能を実際に提供する機能部１０２と、リモートＵＩサーバ部１０３と、リモートフレームバッファサーバ部ｃ１０４と、通信部ｃ１０５とを含んで構成される。ここで、情報提供装置１０１は、サーバ部として、ユーザインターフェースサーバ部としてのリモートＵＩサーバ部１０３と、フレームバッファサーバ部としてのリモートフレームバッファサーバ部ｃ１０４とを有している。
【００１７】
機能部１０２は、情報提供装置の有する機能を実行するものであり、例えばナビゲーション機能を実行するＣＰＵ（プロセッサ）やＲＯＭ、ＲＡＭ等のメモリを有したマイコンであり、ＣＤ／ＤＶＤ／ＢＤデッキ、ＴＶチューナ、携帯電話の通信ユニットである。
【００１８】
なお、機能部１０２が汎用ＣＰＵであり、外部から与えられたプログラムを実行するものであっても同様に実施可能である。また機能部１０２が外部機器と通信し、外部機器を制御するものであっても同様に実施可能である。
【００１９】
リモートＵＩサーバ部１０３は、情報表示装置Ａ１１１および情報表示装置Ｂ１２１に表示する表示画像を構成し、機能部１０２を制御するためのスクリプトを、少なくとも１つ以上蓄積し、このスクリプトを提供するフラッシュメモリ等の記憶装置である。リモートＵＩサーバ部１０３は、情報表示装置Ａ１１１および情報表示装置Ｂ１２１からの要求に従って、通信部ｃ１０５にスクリプトを提供する。
【００２０】
なお、リモートＵＩサーバ部１０３は、スクリプトを蓄積することに加えて、その他の表示画像を構成する映像や画像等のデータを蓄積するものであっても同様に実施可能である。
【００２１】
またリモートＵＩサーバ部１０３として、ＨＤＤ等の不揮発性記憶装置やＤＲＡＭ等の揮発性記憶装置を用いた場合や、更に高度な処理を実施するためにＣＰＵやＲＯＭ、ＲＡＭ等を有したマイコンを組み合わせた場合でも同様に実施可能である。
【００２２】
リモートフレームバッファサーバ部ｃ１０４は、情報表示装置Ａ１１１および情報表示装置Ｂ１２１に表示する表示画像を生成し、この表示画像を提供する、例えばＣＰＵやＲＯＭ、ＲＡＭ等を有したマイコンである。リモートフレームバッファサーバ部ｃ１０４は、機能部１０２を制御し、情報表示装置Ａ１１１および情報表示装置Ｂ１２１からの要求に従って、通信部ｃ１０５に表示画像を提供する。
【００２３】
なお、リモートＵＩサーバ部１０３とリモートフレームバッファサーバ部ｃ１０４をソフトウェアで実装し、同一のＣＰＵで動作させる場合も同様に実施可能である。
【００２４】
通信部ｃ１０５は、リモートＵＩサーバ部１０３から送られたスクリプト、またはリモートフレームバッファサーバ部ｃ１０４から送られた表示画像を受け取り、情報表示装置Ａ１１１や情報表示装置Ｂ１２１に送信するものである。通信部ｃ１０５は、例えば、イーサネット（登録商標）コントローラである。
【００２５】
また、通信部ｃ１０５の通信方式としては、情報表示装置Ａ１１１や情報表示装置Ｂ１２１にスクリプトや表示画像を送ることができれば、調歩同期等他の有線通信方式や、ＩＥＥＥ８０２．１１ｂ等の無線通信方式であっても同様に実施可能である。
【００２６】
あるいは、通信部ｃ１０５の通信機能として、スクリプトや表示画像だけでなく他の映像や画像を通信したり、本発明以外の用途の情報を情報表示装置Ａ１１１や情報表示装置Ｂ１２１やそれ以外の装置に通信したり、双方向通信可能であってもよい。
【００２７】
情報表示装置Ａ１１１は、情報提供装置１０１からの情報を複数のプロトコルで受信し任意のプロトコルで再送するものである。情報表示装置Ａ１１１は、通信部ａ１１２と、リモートＵＩプレーヤ部ａ１１３と、リモートフレームバッファプレーヤ部ａ１１４と、画像選択部ａ１１５と、表示部ａ１１６と、リモートフレームバッファサーバ部ａ１１７とを含んで構成される。ここで、情報表示装置Ａ１１１は、プレーヤ部として、リモートＵＩプレーヤ部ａ１１３とリモートフレームバッファプレーヤ部ａ１１４とを有し、サーバ部として、リモートフレームバッファサーバ部ａ１１７を有している。
【００２８】
通信部ａ１１２は、情報提供装置１０１から送信されたスクリプトや表示画像を受信し、受信した情報をプロトコルに応じてリモートＵＩプレーヤ部ａ１１３もしくはリモートフレームバッファプレーヤ部ａ１１４に送る。また、通信部ａ１１２は、リモートフレームバッファサーバ部ａ１１７から受け取った表示画像を情報表示装置Ｂ１２１へ送信する。また、通信部ａ１１２は、情報表示制御装置１３１からの指示を、リモートＵＩプレーヤ部ａ１１３、リモートフレームバッファプレーヤ部ａ１１４、リモートフレームバッファサーバ部ａ１１７に送る。通信部ａ１１２は、例えば、イーサネット（登録商標）コントローラである。
【００２９】
また、通信部ａ１１２の通信方式としては、上記送受信が可能であれば、調歩同期等他の有線通信方式や、ＩＥＥＥ８０２．１１ｂ等の無線通信方式であっても同様に実施可能である。
【００３０】
あるいは、通信部ａ１１２の通信機能として、上記送受信だけでなく他の映像や画像を受信したり、本発明以外の用途の情報を情報提供装置１０１やそれ以外の装置から受信してもよい。
【００３１】
リモートＵＩプレーヤ部ａ１１３は、通信部ａ１１２から受けたスクリプトを解釈し、表示部ａ１１６に表示すべき画像を構成して画像選択部ａ１１５に送るものである。リモートＵＩプレーヤ部ａ１１３は、例えばＣＰＵやＲＯＭ、ＲＡＭ等を有したマイコンであり、例えばこの場合、ＣＰＵがＲＯＭに格納されたコンピュータプログラムを、ＲＡＭを作業領域として使いながら実行することで実現される。
【００３２】
リモートフレームバッファプレーヤ部ａ１１４は、通信部ａ１１２から受けた表示画像を処理し、表示部ａ１１６に表示すべき画像を構成して画像選択部ａ１１５に送るものである。リモートフレームバッファプレーヤ部ａ１１４は、例えばＣＰＵやＲＯＭ、ＲＡＭ等を有したマイコンであり、例えばこの場合、ＣＰＵがＲＯＭに格納されたコンピュータプログラムを、ＲＡＭを作業領域として使いながら実行することで実現される。
【００３３】
画像選択部ａ１１５は、リモートＵＩプレーヤ部ａ１１３およびリモートフレームバッファプレーヤ部ａ１１４から送られた画像を選択し、表示部ａ１１６またはリモートフレームバッファサーバ部ａ１１７に送るものである。画像選択部ａ１１５は、例えばスイッチである。なお、画像選択部ａ１１５は、リモートＵＩプレーヤ部ａ１１３およびリモートフレームバッファプレーヤ部ａ１１４以外の画像入力元、あるいは表示部ａ１１６およびリモートフレームバッファサーバ部ａ１１７以外の画像出力先を持っていてもよい。また、画像選択部ａ１１５は、複数の入力画像を合成して出力先へ送る合成機能を持っていても同様に実施可能である。
【００３４】
表示部ａ１１６は、画像選択部ａ１１５から送られた画像を表示するものであって、例えば液晶モニタ等のディスプレイである。
【００３５】
また、表示部ａ１１６は、画像選択部ａ１１５以外から送られた画像を表示することに用いても構わない。また、表示部ａ１１６は、スピーカとして音声を出力するものであっても同様に実施可能である。
【００３６】
リモートフレームバッファサーバ部ａ１１７は、情報表示装置Ｂ１２１に表示する表示画像を提供する、例えばＣＰＵやＲＯＭ、ＲＡＭ等を有したマイコンである。リモートフレームバッファサーバ部ａ１１７は、画像選択部ａ１１５から送られた表示画像を、情報表示装置Ｂ１２１からの要求に従って、通信部ａ１１２に提供する。なお、情報表示装置Ａ１１１がリモートＵＩサーバ部を有していてもよい。
【００３７】
なお、リモートＵＩプレーヤ部ａ１１３、リモートフレームバッファプレーヤ部ａ１１４、リモートフレームバッファサーバ部ａ１１７をソフトウェアで実装し、同一のＣＰＵで動作させる場合も同様に実施可能である。
【００３８】
情報表示装置Ｂ１２１は、情報提供装置１０１または情報表示装置Ａ１１１から送信される情報を表示するものである。情報表示装置Ｂ１２１は、通信部ｂ１２２と、リモートフレームバッファプレーヤ部ｂ１２４と、表示部ｂ１２６とを含んで構成される。ここで、情報表示装置Ｂ１２１は、プレーヤ部として、リモートフレームバッファプレーヤ部ｂ１２４を有している。
【００３９】
通信部ｂ１２２は、情報提供装置１０１および情報表示装置Ａ１１１から送信されたスクリプトや表示画像を受信し、受信した情報をプロトコルに応じてリモートフレームバッファプレーヤ部ｂ１２４に送る。また、通信部ｂ１２２は、情報表示制御装置１３１からの指示をリモートフレームバッファプレーヤ部ｂ１２４に送る。通信部ｂ１２２は、例えば、イーサネット（登録商標）コントローラである。
【００４０】
また、通信部ｂ１２２の通信方式としては、上記送受信が可能であれば、調歩同期等他の有線通信方式や、ＩＥＥＥ８０２．１１ｂ等の無線通信方式であっても同様に実施可能である。
【００４１】
あるいは、通信部ｂ１２２の通信機能として、上記送受信だけでなく他の映像や画像を受信したり、本発明以外の用途の情報を情報提供装置１０１やそれ以外の装置から受信してもよい。
【００４２】
リモートフレームバッファプレーヤ部ｂ１２４は、通信部ｂ１２２から受けた表示画像を処理し、表示部ｂ１２６に表示すべき画像を構成して表示部ｂ１２６に送るものである。リモートフレームバッファプレーヤ部ｂ１２４は、例えばＣＰＵやＲＯＭ、ＲＡＭ等を有したマイコンであり、例えばこの場合、ＣＰＵがＲＯＭに格納されたコンピュータプログラムを、ＲＡＭを作業領域として使いながら実行することで実現される。なお、情報表示装置Ｂ１２１がリモートＵＩプレーヤ部を有していてもよい。
【００４３】
表示部ｂ１２６は、リモートフレームバッファプレーヤ部ｂ１２４から送られた画像を表示するものであって、例えば液晶モニタ等のディスプレイである。
【００４４】
また、表示部ｂ１２６は、リモートフレームバッファプレーヤ部ｂ１２４以外から送られた画像を表示することに用いても構わない。また、表示部ｂ１２６は、スピーカとして音声を出力するものであっても同様に実施可能である。
【００４５】
情報表示制御装置１３１は、各装置のサーバ部とプレーヤ部の利用状況を管理し、装置間の接続を制御するものである。情報表示制御装置１３１は、通信部ｄ１３２と、制御部１３３と、保持部としてのデータベース１３４とを含んで構成される。
【００４６】
通信部ｄ１３２は、制御部１３３の指示を、情報表示装置Ａ１１１および情報表示装置Ｂ１２１へ送信する。通信部ｄ１３２は、例えば、イーサネット（登録商標）コントローラである。
【００４７】
また、通信部ｄ１３２の通信方式としては、上記送信が可能であれば、調歩同期等他の有線通信方式や、ＩＥＥＥ８０２．１１ｂ等の無線通信方式であっても同様に実施可能である。
【００４８】
あるいは、通信部ｄ１３２の通信機能として、情報表示装置Ａ１１１および情報表示装置Ｂ１２１への指示だけでなく他の映像や画像を通信したり、本発明以外の用途の情報を情報表示装置Ａ１１１や情報表示装置Ｂ１２１やそれ以外の装置に通信したり、双方向通信可能であってもよい。
【００４９】
制御部１３３は、データベース１３４の内容を検索して参照し、通信部ｄ１３２を介して情報表示装置Ａ１１１および情報表示装置Ｂ１２１に接続先を指示するものである。制御部１３３は、例えばＣＰＵやＲＯＭ、ＲＡＭ等を有したマイコンであり、例えばこの場合、ＣＰＵがＲＯＭに格納されたコンピュータプログラムを、ＲＡＭを作業領域として使いながら実行することで実現される。
【００５０】
データベース１３４は、図２に示されるように、情報提供装置１０１、情報表示装置Ａ１１１および情報表示装置Ｂ１２１が有する各プロトコルのサーバ機能およびプレーヤ機能の一覧と、その利用状況（利用可否状況）を保持する、フラッシュメモリ等の記憶装置である。すなわち、データベース１３４は、各装置のサーバ部およびプレーヤ部の利用状況の情報を保持するものである。また、データベース１３４は、保持しているそれぞれの装置、機能、利用状況の情報を制御部１３３へ提供し、またこれらの情報を制御部１３３から変更可能となっている。
【００５１】
なお、データベース１３４として、ＨＤＤ等の不揮発性記憶装置やＤＲＡＭ等の揮発性記憶装置を用いた場合や、更に高度な処理を実施するためにＣＰＵやＲＯＭ、ＲＡＭ等を有したマイコンを組み合わせた場合でも同様に実施可能である。
【００５２】
情報表示制御装置１３１に含まれる制御部１３３およびデータベース１３４は、情報提供装置１０１、情報表示装置Ａ１１１、情報表示装置Ｂ１２１と別体でなくても構わない。例えば、情報提供装置１０１に制御部１３３およびデータベース１３４を含み、通信部ｄ１３２は通信部ｃ１０５と同一であってもよい。
【００５３】
以上のように構成された表示システムについて、以下にその処理動作を説明する。
図３は本発明の実施の形態における情報表示システムを構成する制御部１３３が実施する制御処理のフローチャートである。
【００５４】
まず、初期状態では、情報提供装置１０１と情報表示装置Ａ１１１と情報表示制御装置１３１とが接続されており、情報表示装置Ｂ１２１は未接続であるとする。このとき、データベース１３４は図２に示された内容となる。
【００５５】
この状態で情報表示装置Ｂ１２１が接続されると、制御部１３３は、図３のフローチャートの処理を実行する。
【００５６】
最初に、ステップＳ１０１で、制御部１３３は、新たに情報表示システムに装置が接続された場合に、通信部ｄ１３２を介して自装置に接続された装置が、情報表示装置Ｂ１２１であることを検出する。
【００５７】
次に、制御部１３３は、今回接続された情報表示装置Ｂ１２１が持つプレーヤ機能と同じプロトコルの情報提供装置１０１が持つサーバ機能が、利用可能であるかどうかを判断する（ステップＳ１０２）。利用可能であれば（ステップＳ１０２のＹＥＳ）、制御部１３３は、情報表示装置Ｂ１２１が持つプレーヤ機能（リモートフレームバッファプレーヤ部ｂ１２４）に、情報提供装置１０１が持つサーバ機能（リモートフレームバッファサーバ部ａ１１７）を接続するように、通信部ｄ１３２を介して指示（ステップＳ１０６）する。そして、制御部１３３は、データベース１３４の該当項目を使用中に更新（ステップＳ１０７）して処理を終了する。
【００５８】
今回の例では、データベース１３４によれば、情報表示装置Ｂ１２１が持つプレーヤ機能はリモートフレームバッファプレーヤ機能である。しかし、情報提供装置１０１が持つリモートフレームバッファサーバ機能は使用中であるため、制御部１３３は、ステップＳ１０２ではＮＯと判断し、ステップＳ１０３へ進む。
【００５９】
ステップＳ１０３では、制御部１３３は、情報提供装置１０１あるいは他の装置（情報表示装置Ａ１１１）が、他の利用可能なサーバ機能を有しているか判断する。ここで利用可能なサーバ機能がなければ、制御部１３３は、情報表示装置Ｂ１２１は情報提供装置１０１と接続することはできないと判断し、処理を終了する（ステップＳ１０３のＮＯ）。
【００６０】
今回の例では、データベース１３４によれば、情報表示装置Ａ１１１が持つリモートフレームバッファサーバ機能は利用可能であるため、制御部１３３は、ステップＳ１０３ではＹＥＳと判断し、ステップＳ１０４へ進む。
【００６１】
ステップＳ１０４では、制御部１３３は、ステップＳ１０３で利用可能なサーバ機能を持つ装置が、利用可能なプレーヤ機能を有しているか判断する。ここで利用可能なプレーヤ機能が無ければ、制御部１３３は、情報表示装置Ｂ１２１は情報提供装置１０１と接続することはできないと判断し、処理を終了する（ステップＳ１０４のＮＯ）。
【００６２】
今回の例では、データベース１３４によれば、情報表示装置Ａ１１１が持つリモートフレームバッファプレーヤ機能は使用中であるが、リモートＵＩプレーヤ機能は利用可能であるため、制御部１３３は、ステップＳ１０４ではＹＥＳと判断し、ステップＳ１０５へ進む。
【００６３】
ステップＳ１０５では、制御部１３３は、ステップＳ１０４で利用可能なプレーヤ機能と同じプロトコルの情報提供装置１０１が持つサーバ機能が、利用可能であるかどうかを判断する。利用可能でなければ、制御部１３３は、情報表示装置Ｂ１２１は情報提供装置１０１と接続することはできないと判断し、処理を終了する（ステップＳ１０５のＮＯ）。
【００６４】
今回の例では、データベース１３４によれば、情報提供装置１０１のリモートＵＩサーバ機能は利用可能であるため、制御部１３３は、ステップＳ１０５ではＹＥＳと判断する。そして、制御部１３３は、リモートフレームバッファプレーヤ部ｂ１２４にリモートフレームバッファサーバ部ａ１１７を、リモートＵＩプレーヤ部ａ１１３にリモートＵＩサーバ部１０３を接続するように、通信部ｄ１３２を介して指示（ステップＳ１０６）する。そして、制御部１３３は、データベース１３４の該当項目を使用中に更新（ステップＳ１０７）して処理を終了する。
【００６５】
以上のように、本実施の形態では、機能部１０２とリモートＵＩサーバ部１０３とリモートフレームバッファサーバ部ｃ１０４と通信部ｃ１０５とを有する情報提供装置１０１を備える。また、通信部ａ１１２とリモートＵＩプレーヤ部ａ１１３とリモートフレームバッファプレーヤ部ａ１１４と画像選択部ａ１１５と表示部ａ１１６とリモートフレームバッファサーバ部ａ１１７とを有する情報表示装置Ａ１１１を備える。また、通信部ｂ１２２とリモートフレームバッファプレーヤ部ｂ１２４と表示部ｂ１２６とを有する情報表示装置Ｂ１２１を備える。また、通信部ｄ１３２と制御部１３３とデータベース１３４とを有する情報表示制御装置１３１を備える。これらの装置を有する情報表示システムにより、情報表示装置Ｂ１２１は情報表示装置Ａ１１１を介することで情報提供装置１０１と接続し、ユーザインターフェースを実現することができる。
【００６６】
この際、各装置が有するサーバ機能およびプレーヤ機能の利用状況に応じて、各装置間のサーバ機能およびプレーヤ機能の接続を動的に変更し、利用可能なプロトコルのサーバ機能およびプレーヤ機能に応じた接続が可能である。すなわち、情報表示システムの各装置の状態に応じて、情報提供装置と情報表示装置とが適合するように接続させることによって、情報提供装置が提供するユーザインターフェースを情報表示装置において実現することができる。
【００６７】
したがって、本実施の形態によれば、サーバ機能とプレーヤ機能とを管理するデータベースを有することによって、単純には接続不可能な装置間の接続を可能とし、接続対象の装置に合わせたユーザインターフェースを実現することができる。
【００６８】
例えば、本実施の形態の情報表示システムを自動車の車室内において構成し、情報表示制御装置を車室内に設け、情報提供装置または情報表示装置として携帯端末等の情報端末装置を持ち込んで使用する場合を想定する。この場合、情報端末装置を他の情報提供装置または情報表示装置とを接続するために、情報表示制御装置によって情報端末装置を検出し、接続する装置間におけるサーバ機能およびプレーヤ機能の利用状況（利用可否状況）を判断する。この判断結果に応じて、利用可能な装置（自装置または他装置）のサーバ機能、プレーヤ機能を利用して両装置間を接続し、ユーザインターフェースを実現する。このような本実施の形態の動作によって、車内に持ち込んだ情報端末装置を正常に動作させ、情報端末装置より提供する情報を車内の情報表示装置に表示する、あるいは、車内の情報提供装置からの情報を情報端末装置に表示することが可能である。
【００６９】
上記のように、本実施の形態は、特に、携帯型電子機器を持ち込み機器とし、車内に予め設置されている他の機器と接続して使用する場合に、顕著な効果を奏する。また、本実施の形態によれば、持ち込み機器等で一部の接続方法しか提供されていない機器、あるいは世代の異なる機器であっても接続可能となる。
【００７０】
本発明に係る実施形態の種々の態様として、以下のものが含まれる。
車両に搭載される情報表示システムであって、前記情報表示システムは、自装置の機能に対応するユーザインターフェースを実現するための表示部品を記述したスクリプトまたは前記ユーザインターフェースの表示画像を送信するサーバ部を有する情報提供装置に接続され、前記情報提供装置が送信した前記スクリプトまたは前記表示画像を処理して構成した表示画像を表示するプレーヤ部と、前記表示画像を送信するサーバ部とを有する第１の情報表示装置と、前記情報提供装置または前記第１の情報表示装置が送信した表示画像を表示するプレーヤ部を有する第２の情報表示装置と、前記情報提供装置と前記第１の情報表示装置と前記第２の情報表示装置を制御する情報表示制御装置とを備え、前記情報表示制御装置は、前記情報提供装置と前記第１の情報表示装置と前記第２の情報表示装置のそれぞれが有するサーバ部およびプレーヤ部の利用状況に応じて、前記各装置間のサーバ部およびプレーヤ部の接続を変更する制御部を有する、情報表示システム。
上記構成により、各装置が有するサーバ部およびプレーヤ部の利用状況に応じて、利用可能なプロトコルのサーバ部およびプレーヤ部に応じた接続が可能である。したがって、情報提供装置が保有するものと一致するプロトコルを情報表示装置が有しない場合、あるいは一致するプロトコルが既に使用されている場合であっても、情報提供装置と情報表示装置とを接続できる。
【００７１】
上記の情報表示システムであって、前記情報表示制御装置は、前記サーバ部およびプレーヤ部の利用状況の情報を保持する保持部を有し、前記制御部は、前記利用状況の情報を参照し、前記情報提供装置、前記第１の情報表示装置、および前記第２の情報表示装置のそれぞれにおいて利用可能なプロトコルのサーバ部およびプレーヤ部の利用状況に応じて、前記情報提供装置のサーバ部と前記第１の情報表示装置または前記第２の情報表示装置のプレーヤ部とを接続する指示を行う、情報表示システム。
【００７２】
車両に搭載される情報表示システムにおいて、情報提供装置と情報表示装置との間の接続を制御する情報表示制御装置であって、前記情報提供装置または前記情報表示装置が有する、装置の機能に対応するユーザインターフェースを実現するための表示部品を記述したスクリプトまたは前記ユーザインターフェースの表示画像を送信するサーバ部と、前記情報表示装置が有する、前記スクリプトまたは前記表示画像を処理して構成した表示画像を表示するプレーヤ部の、それぞれの利用状況の情報を保持する保持部と、前記利用状況の情報を参照し、前記情報提供装置および前記情報表示装置のそれぞれにおいて利用可能なプロトコルのサーバ部およびプレーヤ部の利用状況に応じて、前記情報提供装置のサーバ部と前記情報表示装置のプレーヤ部との接続を指示する制御部と、を備える情報表示制御装置。
【００７３】
上記の情報表示制御装置であって、前記保持部は、前記情報提供装置が有する前記サーバ部と、前記情報表示装置のうち、第１の情報表示装置が有する前記プレーヤ部および前記サーバ部と、第２の情報表示装置が有する前記プレーヤ部とについて、それぞれの利用状況の情報を保持し、前記制御部は、前記情報提供装置のサーバ部と前記第２の情報表示装置のプレーヤ部とにおいて直接接続して利用可能なプロトコルのサーバ部およびプレーヤ部がない場合に、前記第１の情報表示装置のプレーヤ部およびサーバ部を介して接続する指示を行う、情報表示制御装置。
【００７４】
車両に搭載される情報表示システムにおいて、情報提供装置から提供される情報を表示する情報表示装置であって、前記情報提供装置が送信した情報の表示画像を表示するプレーヤ部として、前記情報提供装置の機能に対応するユーザインターフェースを実現するための表示部品を記述したスクリプトを処理して構成した表示画像を表示するユーザインターフェースプレーヤ部と、前記ユーザインターフェースの表示画像を表示するフレームバッファプレーヤ部との、少なくとも一方を有するプレーヤ部と、前記表示画像を送信するサーバ部として、前記スクリプトを処理して構成した表示画像を送信するユーザインターフェースサーバ部と、前記ユーザインターフェースの表示画像を送信するフレームバッファサーバ部との、少なくとも一方を有するサーバ部と、情報表示制御装置からの指示に応じて、前記プレーヤ部および前記サーバ部と前記情報提供装置および他の情報表示装置との接続を変更して通信する通信部と、を備える情報表示装置。
【００７５】
車両に搭載される情報表示システムにおいて、情報提供装置から提供される情報を表示する情報表示装置であって、前記情報提供装置が送信した情報の表示画像を表示するプレーヤ部として、前記情報提供装置の機能に対応するユーザインターフェースを実現するための表示部品を記述したスクリプトを処理して構成した表示画像を表示するユーザインターフェースプレーヤ部と、前記ユーザインターフェースの表示画像を表示するフレームバッファプレーヤ部との、少なくとも一方を有するプレーヤ部と、情報表示制御装置からの指示に応じて、前記プレーヤ部と前記情報提供装置および他の情報表示装置との接続を変更して通信する通信部と、を備える情報表示装置。
【００７６】
車両に搭載される情報表示システムにおいて、情報表示装置に対して情報を提供する情報提供装置であって、自装置の機能に対応するユーザインターフェースを実現するための表示部品を記述したスクリプトを送信するユーザインターフェースサーバ部と、前記ユーザインターフェースの表示画像を送信する送信するフレームバッファサーバ部との、少なくとも一方を有するサーバ部と、情報表示制御装置からの指示に応じて、前記サーバ部を前記情報表示装置と接続させて通信する通信部と、を備える情報提供装置。
【００７７】
なお、本発明は、本発明の趣旨ならびに範囲を逸脱することなく、明細書の記載、並びに周知の技術に基づいて、当業者が様々な変更、応用することも本発明の予定するところであり、保護を求める範囲に含まれる。また、発明の趣旨を逸脱しない範囲で、上記実施形態における各構成要素を任意に組み合わせてもよい。
【００７８】
本出願は、２０１１年２月１５日出願の日本特許出願（特願2011-030035）に基づくものであり、その内容はここに参照として取り込まれる。
【産業上の利用可能性】
【００７９】
本発明は、少なくとも１つ以上のナビゲーション、ＡＶコンテンツ再生などの機能を有し情報を提供する情報提供装置に接続され、この提供される情報の表示を行う少なくとも１つ以上の情報表示装置を含む、情報表示システム等として有用である。例えば、情報表示装置を車外に持ち出し可能なカーナビゲーション装置やカーＡＶ装置等の車載システム、あるいは、車内に持ち込んだ情報端末装置等の持ち込み機器を車載装置と接続する車載システム等における情報表示システムとして有用である。
【符号の説明】
【００８０】
１００  情報表示システム
１０１  情報提供装置
１０２  機能部
１０３  リモートＵＩサーバ部
１０４  リモートフレームバッファサーバ部ｃ
１０５  通信部ｃ
１１１  情報表示装置Ａ
１１２  通信部ａ
１１３  リモートＵＩプレーヤ部ａ
１１４  リモートフレームバッファプレーヤ部ａ
１１５  画像選択部ａ
１１６  表示部ａ
１１７  リモートフレームバッファサーバ部ａ
１２１  情報表示装置Ｂ
１２２  通信部ｂ
１２４  リモートフレームバッファプレーヤ部ｂ
１２６  表示部ｂ
１３１  情報表示制御装置
１３２  通信部ｄ
１３３  制御部
１３４  データベース
【図１】
2012111305.tif 000003
【図２】
2012111305.tif 000004
【図３】
2012111305.tif 000005
【国際調査報告】
2012111305.tif 000006
2012111305.tif 000007